(57)【特許請求の範囲】
【請求項１】
内燃機関の排気通路に配置され排気中の粒子状物質を捕集するフィルタを備え、前記フィルタに堆積した粒子状物質を前記フィルタを昇温させることで酸化除去する内燃機関の排気浄化システムにおいて、
前記粒子状物質の酸化除去中の目標流量を、該目標流量の上限流量となる吸気流量によって供給される酸素で酸化される前記粒子状物質の酸化速度に基づく発熱量が、該目標流量の下限流量となる排気流量が前記フィルタから持ち去る持ち去り熱量と等しくなる範囲で決定する目標流量設定手段を備えることを特徴とする内燃機関の排気浄化システム。
【請求項２】
内燃機関の排気通路に配置され排気中の粒子状物質を捕集するフィルタを備え、前記フィルタに堆積した粒子状物質を前記フィルタを昇温させることで酸化除去する内燃機関の排気浄化システムにおいて、
所定の第１流量と、前記第１流量が前記フィルタから持ち去る持ち去り熱量に対し最大に許容される前記粒子状物質の酸化速度から導出される酸素量に基づく第２流量と、を定め、前記第１流量が前記第２流量以下となる場合に、前記粒子状物質の酸化除去中の目標流量を、前記第１流量を下限とし前記第２流量を上限とする範囲に設定する目標流量設定手段を備えることを特徴とする内燃機関の排気浄化システム。
【請求項３】
前記目標流量設定手段は、
前記フィルタに流入する排気流量として前記第１流量を定め、
前記第１流量及び前記フィルタの床温に基づく前記持ち去り熱量と、前記フィルタにおける総反応熱量とが同等になるような前記粒子状物質の酸化速度である許容最大酸化速度を算出し、
前記許容最大酸化速度及び前記粒子状物質の１モルあたりの重量から算出された単位時間あたりに酸化する前記粒子状物質のモル数と、酸素の１モルあたりの重量とに基づいて、前記単位時間あたりに酸化する前記粒子状物質と反応する酸素量である許容最大酸素量を算出し、
前記許容最大酸素量及び前記内燃機関の気筒内で消費される酸素量に基づき許容最大吸気流量として前記第２流量を算出し、
前記第１流量が前記第２流量以下となるか否か判別し、
前記第１流量が前記第２流量以下となる場合に、前記粒子状物質の酸化除去中の目標流量を、前記第１流量を下限とし前記第２流量を上限とする範囲に設定する
ことを特徴とする請求項２に記載の内燃機関の排気浄化システム。
【請求項４】
前記目標流量設定手段は、前記フィルタでの前記粒子状物質の堆積量が多いほど、前記目標流量を前記第２流量に近づけることを特徴とする請求項２又は３に記載の内燃機関の排気浄化システム。
【請求項５】
前記目標流量設定手段は、酸化速度を最大とし前記粒子状物質の酸化除去を早期に終了させるべく、前記目標流量を前記第２流量に設定することを特徴とする請求項２又は３に記載の内燃機関の排気浄化システム。
【発明の詳細な説明】
【技術分野】
【０００１】
本発明は、内燃機関の排気通路に配置されたフィルタに堆積した粒子状物質をフィルタを昇温させることで酸化除去する内燃機関の排気浄化システムに関する。
【背景技術】
【０００２】
内燃機関においては、排気中に含まれる煤などの粒子状物質（ＰＭ：Particulate Matter、以下、ＰＭともいう）を捕集するために、排気通路にフィルタを備えた内燃機関の排気浄化システムが知られている。このようなシステムでは、フィルタを昇温させてフィルタに堆積したＰＭを酸化除去するフィルタ再生処理が行われている。
【０００３】
フィルタ再生処理においては、ＰＭの酸化に伴い発熱が生じており、フィルタにおける発熱と放熱との関係によってはフィルタが過昇温してしまうことがある。この過昇温を抑制するため、排気流量を増加させ、ＰＭの酸化に伴う発熱のうちフィルタ下流への排気によって持ち去られる熱量（以下、持ち去り熱量という）を増加させる技術が知られている。また、これに関連して、排気流量が増加しすぎると、フィルタの床温が低下してしまうため、排気流量の増加量に上限を設ける技術が知られている（特許文献１参照。）。
【０００４】
一方、フィルタ再生処理において、ＰＭを酸化する際の酸素量が増加するほど発熱量が増加する。このため、酸素量が増加しすぎてもフィルタが過昇温してしまうことがある。この過昇温を抑制するため、吸気流量を減少させ、ＰＭと酸化する酸素量を削減させる技術が知られている（特許文献２参照。）。
【特許文献１】特開２００４−１９０６６８号公報
【特許文献２】特開２００４−２６３５７８号公報
【発明の開示】
【発明が解決しようとする課題】
【０００５】
ところで、ＰＭ堆積量の検出精度は必ずしも高いとは言えず、ある程度のバラツキを見込んだ値で推定されている。このため、フィルタにＰＭが堆積していない状態でフィルタ再生処理が行われる場合がある。かかる場合であっても、減速などのフィルタが過昇温する危険条件が成立すれば、フィルタ再生処理中でのフィルタの過昇温を抑制するために、上述のごとく排気流量を増加させたり、吸気流量を減少させたりすることがある。
【０００６】
このようなときの排気流量の増加では、ＰＭが堆積していないためにＰＭが酸化することによる発熱量が少なくフィルタの昇温は考慮したほど生じないので、フィルタの床温低下という背反を招いてしまう。また、このようなときの吸気流量の減少では、吸気流量の減少に伴い排気流量も減少して持ち去り熱量が低下し、持ち去り熱量の低下分を要因としてフィルタの過昇温が生じるおそれがある。
【０００７】
本発明は上記事情に鑑みなされたもので、その目的とするところは、ＰＭ堆積量の多少に拘らず、フィルタの過昇温をより確実に抑制する技術を提供することにある。
【課題を解決するための手段】
【０００８】
本発明にあっては以下の構成を採用する。すなわち、
内燃機関の排気通路に配置され排気中の粒子状物質を捕集するフィルタを備え、前記フィルタに堆積した粒子状物質を前記フィルタを昇温させることで酸化除去する内燃機関の排気浄化システムにおいて、
前記粒子状物質の酸化除去中の目標流量を、該目標流量の上限流量となる吸気流量によ
って供給される酸素で酸化される前記粒子状物質の酸化速度に基づく発熱量が、該目標流量の下限流量となる排気流量が前記フィルタから持ち去る持ち去り熱量と等しくなる範囲で決定する目標流量設定手段を備えることを特徴とする内燃機関の排気浄化システムである。
【０００９】
言い換えると本発明においては、前記粒子状物質の酸化除去中における目標流量を、所定の流量範囲において決定する。ここで、所定の流量範囲は、目標流量を所定の範囲の上限流量とした際に前記フィルタに供給される酸素で酸化される前記粒子状物質の酸化速度に基づく発熱量と、目標流量を所定の範囲の下限流量とした際の排気流量が前記フィルタから持ち去る持ち去り熱量とが等しくなるように定められている。
【００１０】
本発明は、フィルタにおける粒子状物質（ＰＭ）の酸化による発熱量が、排気がフィルタから持ち去ることのできる持ち去り熱量以下であれば、その発熱量分の発熱がフィルタで生じても排気によって持ち去られるので、フィルタが昇温しないことに着目した。また、フィルタで生じる発熱量からは、ＰＭの酸化速度に鑑みると、ＰＭを酸化させる酸素を供給するために必要な吸気流量を算出できることに着目した。そして、それらを組み合わせ、下限流量での持ち去り熱量相当の発熱量からＰＭの酸化速度に鑑みて上限流量を導き、フィルタの過昇温が抑制される吸気流量の範囲を求め、この範囲内で吸気流量を定めるものである。
【００１１】
またここで、前記上限流量と前記下限流量とは、該上限流量となる吸気流量によって供給される酸素で酸化される前記粒子状物質の酸化速度に基づく発熱量が、該下限流量となる排気流量が前記フィルタから持ち去る持ち去り熱量と等しくなるように定められている。
【００１２】
そうすると、決定される目標流量は前記下限流量以上で且つ前記上限流量以下の値となるので、フィルタにおける実際の前記持ち去り熱量は、排気流量が前記下限流量である場合における持ち去り熱量以上となる。同様に、フィルタにおける実際の粒子状物質の酸化による発熱量は、排気流量が前記上限流量である場合における発熱量以下となる。
【００１３】
このため、実際のフィルタ再生処理においては、目標流量の排気による持ち去り熱量が必ず目標流量の排気による発熱量以上となるようにできる。
【００１４】
この構成によると、フィルタの過昇温が抑制される吸気流量の範囲が持ち去り熱量とＰＭの酸化速度の観点から特定されている。そのため、吸気流量の範囲にＰＭ堆積量は影響していない。よって、ＰＭ堆積量が多少に拘らずどのような量であっても、上記範囲の吸気流量であればフィルタの過昇温を抑制することができる。
【００１５】
つまり、フィルタにＰＭが堆積していない状態でフィルタ再生処理が行われる場合であっても、吸気流量が上記範囲であれば、過剰に吸気流量を増減してしまうことが無くなる。このため、吸気流量の過剰な増加に伴う排気流量の過剰な増加によるフィルタの床温低下を抑制できる。また、吸気流量の過剰な減少に伴う排気流量の過剰な減少による持ち去り熱量の過剰な低下を抑制し、持ち去り熱量の過剰な低下分を要因とするフィルタの過昇温も抑制できる。
【００１６】
したがって、ＰＭ堆積量の多少に拘らず、フィルタの過昇温をより確実に抑制することができる。
【００１７】
内燃機関の排気通路に配置され排気中の粒子状物質を捕集するフィルタを備え、前記フィルタに堆積した粒子状物質を前記フィルタを昇温させることで酸化除去する内燃機関の
排気浄化システムにおいて、
所定の第１流量と、前記第１流量が前記フィルタから持ち去る持ち去り熱量に対し最大に許容される前記粒子状物質の酸化速度から導出される酸素量に基づく第２流量と、を定め、前記第１流量が前記第２流量以下となる場合に、前記粒子状物質の酸化除去中の目標流量を、前記第１流量を下限とし前記第２流量を上限とする範囲に設定する目標流量設定手段を備えることを特徴とする内燃機関の排気浄化システムである。
【００１８】
この構成によると、下限流量となる第１流量から定まる持ち去り熱量相当の発熱量に基づき粒子状物質（ＰＭ）の酸化速度に鑑みて上限流量となる第２流量を導き、ＰＭの酸化除去中のフィルタの過昇温が抑制される目標流量を、ＰＭ堆積量が影響しない、第１流量を下限とし第２流量を上限とする範囲に設定することができる。
【００１９】
前記目標流量設定手段は、
前記フィルタに流入する排気流量として前記第１流量を定め、
前記第１流量及び前記フィルタの床温に基づく前記持ち去り熱量と、前記フィルタにおける総反応熱量とが同等になるような前記粒子状物質の酸化速度である許容最大酸化速度を算出し、
前記許容最大酸化速度及び前記粒子状物質の１モルあたりの重量から算出された単位時間あたりに酸化する前記粒子状物質のモル数と、酸素の１モルあたりの重量とに基づいて、前記単位時間あたりに酸化する前記粒子状物質と反応する酸素量である許容最大酸素量を算出し、
前記許容最大酸素量及び前記内燃機関の気筒内で消費される酸素量に基づき許容最大吸気流量として前記第２流量を算出し、
前記第１流量が前記第２流量以下となるか否か判別し、
前記第１流量が前記第２流量以下となる場合に、前記粒子状物質の酸化除去中の目標流量を、前記第１流量を下限とし前記第２流量を上限とする範囲に設定することがよい。
【００２０】
この構成によると、より簡便な計算過程によって、ＰＭの酸化除去中のフィルタの過昇温が抑制される目標流量を、ＰＭ堆積量が影響しない、第１流量を下限とし第２流量を上限とする範囲に設定することができる。
【００２１】
前記目標流量設定手段は、前記フィルタでの前記粒子状物質の堆積量が多いほど、前記目標流量を前記第２流量に近づけることがよい。
【００２２】
この構成によると、ＰＭ堆積量が多いほど、酸化速度が早まり、ＰＭの酸化除去を早期に終了させることができる。これにより、ＰＭの酸化除去中に生じるフィルタの昇温時間を削減することができる。そして、フィルタの昇温時間を削減できるので、フィルタが高温に曝される時間を減少させ、フィルタの熱劣化を抑制することができる。
【００２３】
前記目標流量設定手段は、酸化速度を最大とし前記粒子状物質の酸化除去を早期に終了させるべく、前記目標流量を前記第２流量に設定することがよい。
【００２４】
この構成によると、酸化速度を最大としＰＭの酸化除去を早期に終了させることができる。これにより、ＰＭの酸化除去中に生じるフィルタの昇温時間を削減することができる。そして、フィルタの昇温時間を削減できるので、フィルタが高温に曝される時間を減少させ、フィルタの熱劣化を抑制することができる。
【発明の効果】
【００２５】
本発明によると、ＰＭ堆積量の多少に拘らず、フィルタの過昇温をより確実に抑制することができる。
【発明を実施するための最良の形態】
【００２６】
以下に本発明の具体的な実施例を説明する。
【実施例１】
【００２７】
図１は、本発明の実施例１に係る排気浄化システムを適用する内燃機関とその吸排気系の概略構成を示す図である。
【００２８】
図１に示す内燃機関１は、４つの気筒を有する水冷式の４サイクル・ディーゼル機関である。
【００２９】
内燃機関１には、吸気通路２が接続されている。この吸気通路２には、吸気通路２内を流通する吸気の質量（吸気流量）に対応した電気信号を出力するエアフローメータ３が取り付けられている。
【００３０】
吸気通路２におけるエアフローメータ３より下流の部位には、過給機４のコンプレッサハウジングが設けられている。コンプレッサハウジングより下流の吸気通路２には、吸気通路２内を流通する吸気流量を調節する吸気絞り弁５が設けられている。この吸気絞り弁５には、吸気絞り用アクチュエータ６が取り付けられている。
【００３１】
また、内燃機関１には、排気通路７が接続されている。この排気通路７は、下流にて不図示のマフラーと接続されている。排気通路７の途中には、過給機４のタービンハウジングが配置されており、タービンハウジングより下流の部位には、気筒から排出される排気中のＰＭを捕集するためのフィルタ８が配置されている。なお、フィルタ８は、パティキュレートフィルタに酸化触媒、吸蔵還元型ＮＯｘ触媒、三元触媒などの触媒が担持されたものである。
【００３２】
排気通路７におけるフィルタ８の上流側及び下流側には、排気通路７内を流通する排気の温度に対応した電気信号を出力する上流側排気温度センサ９及び下流側排気温度センサ１０が取り付けられている。
【００３３】
以上述べたように構成された内燃機関１には、内燃機関１を制御するための電子制御ユニット（ＥＣＵ：Electronic Control Unit）１１が併設されている。このＥＣＵ１１は
、ＣＰＵ、ＲＯＭ、ＲＡＭ、バックアップＲＡＭなどからなる制御コンピュータである。
【００３４】
ＥＣＵ１１には、前述したエアフローメータ３、上流側排気温度センサ９、下流側排気温度センサ１０に加え、内燃機関１に取り付けられたクランクポジションセンサ及び水温センサや、内燃機関１を搭載した車両の室内に取り付けられたアクセルポジションセンサ等の各種センサが接続され、各種センサの出力信号がＥＣＵ１１に入力されるようになっている。
【００３５】
一方、ＥＣＵ１１には、吸気絞り用アクチュエータ６、燃料噴射弁、燃料添加弁等が接続され、ＥＣＵ１１がこれらを制御することが可能になっている。
【００３６】
ここで、ＥＣＵ１１は、クランクポジションセンサに基づく割り込み処理、或は一定時間毎の割り込み処理として、定期的に以下に述べるような、フィルタ８を昇温させることでフィルタ８中に堆積したＰＭを酸化除去するフィルタ再生処理を実行する。
【００３７】
このフィルタ再生処理については、ＥＣＵ１１が、フィルタ８のフィルタ再生処理条件（以下、「フィルタ再生処理条件」と記す。）が成立したときに実行開始する。当該フィ
ルタ再生処理条件としては、フィルタ８に捕集されたＰＭ堆積量が、所定量以上であるという条件を例示することができる。なお、当該所定量は、ＰＭがフィルタ８に堆積することによりフィルタ８が目詰まりし、この目詰まりが排気抵抗の増加を生じさせ、内燃機関の出力低下を生じさせてしまう量よりも低目に設定される堆積量であり、内燃機関毎に予め定められる量である。
【００３８】
そして、フィルタ再生処理条件が成立としていると判別した場合には、ＥＣＵ１１が、ＰＭが酸化反応を行う高温の目標温度までフィルタ８を昇温させるための昇温処理を実行する。
【００３９】
昇温処理の実行方法としては、フィルタ８に担持した触媒において未燃燃料を酸化させ、その際に発生する反応熱によりフィルタ８自体を昇温させる方法を採用している。具体的な手法としては、燃料添加弁から排気中へ燃料を添加させたり、内燃機関１の排気行程時に気筒の燃料噴射弁から副噴射させたりする。
【００４０】
そして、このようなフィルタ再生処理が実行されると、フィルタ８に堆積したＰＭが酸化され、フィルタ８からＰＭが除去されることになる。
【００４１】
ところで、フィルタ再生処理においては、ＰＭの酸化に伴い発熱が生じており、フィルタにおける発熱と放熱との関係によってはフィルタ８が過昇温してしまうことがある。この過昇温を抑制するため、排気流量を増加させ、ＰＭの酸化に伴う発熱のうち排気によって持ち去る持ち去り熱量を増加させたり、吸気流量を減少させ、吸気に含まれるＰＭと酸化する酸素量を削減させたりする技術が知られている。
【００４２】
しかし、ＰＭ堆積量の検出精度は必ずしも高いとは言えず、ある程度のバラツキを見込んだ値で推定されているため、フィルタ８にＰＭが堆積していない状態でフィルタ再生処理が行われる場合がある。かかる場合に減速などのフィルタ８が過昇温する危険条件が成立すれば、フィルタ再生処理中でのフィルタ８の過昇温を抑制するために、排気流量を増加させたり、吸気流量を減少させたりする制御が行われてしまう。
【００４３】
そうすると、このようなときの排気流量の増加は、ＰＭが堆積されていないためにＰＭが酸化することによる発熱量が少なくフィルタ８の昇温は考慮したほど生じないので、フィルタ８の床温低下という背反を招いてしまう。また、このようなときの吸気流量の減少は、吸気流量の減少に伴い排気流量も減少することにより持ち去り熱量の低下を招き、持ち去り熱量の低下分を要因としてフィルタ８の過昇温が生じるおそれがある。
【００４４】
そこで、本実施例においては、フィルタ８に堆積したＰＭ堆積量の多少に拘らずどのような量であっても、フィルタ８が過昇温しない吸気流量の範囲を設定する。
【００４５】
フィルタ８が過昇温しない吸気流量の範囲を設定する流量設定処理のことを、以下「目標流量設定処理」という。なお、本処理は、ＥＣＵ１１が実行する処理であり、本発明の目標流量設定手段に該当する。
【００４６】
具体的に、本実施例においては、ＥＣＵ１１が、以下の処理に従って、目標流量設定処理を実行する。なお、この処理は、フィルタ再生処理中において、クランクポジションセンサに基づく割り込み処理、或は一定時間毎の割り込み処理として、定期的に実行されるものである。以下、図２のフローチャートに沿って説明する。
【００４７】
この吸気流量設定ルーチンは、予めＥＣＵ１１のＲＯＭに記憶されているルーチンであり、先ず、ステップ（以下、単に「Ｓ」という）１０１において、ＥＣＵ１１は、フィル
タ８に流入する排気流量であり、また目標流量の下限流量である第１流量としての流量Ｇｇａｓ（ｇ／ｓ）を設定する。そして、Ｓ１０２へ進む。
【００４８】
なお、本ルーチンの開始当初のＧｇａｓは、燃費や騒音などの様々な観点から決定される最小値であったり、吸気絞り弁５が最少開度となる際の値であったりする。例えば、アイドリング状態のときには、Ｇｇａｓ＝５に設定される。
【００４９】
Ｓ１０２においては、ＥＣＵ１１は、Ｇｇａｓとフィルタ８の床温に基づく、Ｇｇａｓがフィルタ８から持ち去る持ち去り熱量と、フィルタ１５における総反応熱量とが同等になるようなＰＭの酸化速度である許容最大酸化速度としてのＰＭ酸化速度Ｇｒｇｎ（ｇ／ｓ）を算出する。
【００５０】
すなわち、下流側排気温度センサ１０の検出する温度Ｔｃａｔ（℃）、上流側排気温度センサ９の検出する温度Ｔｇａｓ（℃）、ＥＣＵ１１にて算出されるフィルタ８中の未燃ＨＣ量Ｇｈｃ（ｇ／ｓ）を読み込み、これらを用いて、
（Ｔｃａｔ−Ｔｇａｓ）×Ｇｇａｓ×Ｒｇａｓ＝Ｇｈｃ×Ｒｈｃ＋Ｇｒｇｎ×Ｒｒｇｎ・・・（１）
ただし、Ｒｇａｓ：ガス比熱（一定値）（Ｊ／（ｇ℃））
Ｒｈｃ  ：ＨＣ低位発熱量（一定値）（Ｊ／ｇ）
Ｒｒｇｎ：ＰＭ低位発熱量（一定値）（Ｊ／ｇ）
の式によりＰＭ酸化速度Ｇｒｇｎを算出する。そして、Ｓ１０３へ進む。
【００５１】
また、（１）式においてはＧｇａｓ以外のパラメータの数値を定めることができるので、ＧｒｇｎはＧｇａｓの関数として、Ｇｒｇｎ＝ｆ（Ｇｇａｓ）と表すことができる。
【００５２】
なお、上記（１）式は、排気流量がフィルタ８から持ち去ることのできる持ち去り熱量と等しい発熱量であれば、その発熱量分の発熱がフィルタ８で生じても排気によって持ち去られフィルタ８が昇温しないことに着目し、持ち去り熱量とフィルタ８での総反応熱量とを等号で結んだ式である。
【００５３】
（１）式における左辺については、（Ｔｃａｔ−Ｔｇａｓ）でフィルタ８の通過前後における排気の温度上昇を導出しており、このフィルタ８の通過前後における排気の温度上昇とＧｇａｓとＲｇａｓとを積算することにより、Ｇｇａｓで持ち去ることのできる持ち去り熱量を導出している。
【００５４】
（１）式における右辺については、（Ｇｈｃ×Ｒｈｃ）でフィルタ８中のＨＣ反応分の発熱量を導出し、（Ｇｒｇｎ×Ｒｒｇｎ）でフィルタ８中のＰＭ反応分の発熱量を導出し、これらの和でフィルタ８における総反応熱量を導出している。
【００５５】
Ｓ１０３においては、ＥＣＵ１１は、Ｇｒｇｎ及びＰＭの１モルあたりの重量から算出された単位時間あたりに酸化するＰＭのモル数と、酸素の１モルあたりの重量とに基づいて、単位時間あたりに酸化するＰＭと反応する酸素量である許容最大酸素量として酸素量Ｇｏ２（ｇ／ｓ）を算出する。
【００５６】
すなわち、
（Ｇｏ２／Ｒｏ）／（Ｇｒｇｎ／Ｒｃ）＝Ｒｏ/ｃ・・・（２）
ただし、Ｒｏ    ：酸素（Ｏ２）１モルあたり重量（一定値）（ｇ／ｍｏｌ）
Ｒｃ    ：ＰＭ（Ｃ）１モルあたり重量（一定値）（ｇ／ｍｏｌ）
Ｒｏ/ｃ ：酸素とＰＭの反応モル比（一定値）
の式により酸素量Ｇｏ２を算出する。そして、Ｓ１０４へ進む。
【００５７】
また、（２）式においてはＧｒｇｎ以外のパラメータは一定値であるので、Ｇｏ２はＧｒｇｎ若しくはＧｇａｓの関数として、Ｇｏ２＝ｇ（Ｇｒｇｎ）＝ｇ’（Ｇｇａｓ）と表すことができる。
【００５８】
Ｓ１０４においては、ＥＣＵ１１は、Ｇｏ２及び内燃機関１で消費される酸素量に基づき、許容最大吸気流量であり、目標流量の上限流量となる第２流量である許容最大流量Ｇｍａｘ（ｇ／ｓ）を算出する。
【００５９】
すなわち、ＥＣＵ１１にて算出される内燃機関１の気筒内での燃料噴射量Ｇｆｕｅｌ（ｇ／ｓ）を読み込み、これを用いて、
Ｇｍａｘ×Ｒａｉｒ＝Ｇｆｕｅｌ×Ｒｓｔ＋Ｇｏ２・・・（３）
ただし、Ｒａｉｒ：大気酸素濃度（一定値）（％ｗｔ）
Ｒｓｔ  ：理論空燃比（一定値）
の式により許容最大流量Ｇｍａｘを算出する。そして、Ｓ１０５へ進む。
【００６０】
また、（３）式においてはＧｏ２以外のパラメータの数値を定めることができるので、ＧｍａｘはＧｏ２若しくはＧｇａｓの関数として、Ｇｍａｘ＝ｈ（Ｇｏ２）＝ｈ’（Ｇｇａｓ）と表すことができる。結局、ＧｍａｘはＧｇａｓをパラメータとして導出可能である。
【００６１】
Ｓ１０５においては、ＥＣＵ１１は、ＧｇａｓがＧｍａｘ以下となる（Ｇｇａｓ≦Ｇｍａｘ）か否か判別する。
【００６２】
Ｓ１０５で肯定判定された場合（Ｇｇａｓ≦Ｇｍａｘ）は、ＥＣＵ１１は、Ｓ１０６において、フィルタ再生処理における吸気流量の目標流量Ｇを、Ｇｇａｓを下限としＧｍａｘを上限とする範囲（Ｇｇａｓ≦Ｇ≦Ｇｍａｘ）に設定する。当該範囲内であればＧの値はどのような値であってもよい。
【００６３】
一方、Ｓ１０５で否定判定された場合（Ｇｇａｓ≦Ｇｍａｘを満たさない）は、ＥＣＵ１１は、Ｓ１０７において、Ｇｇａｓの値を増加させて再設定（Ｇｇａｓ（ｉ）＝Ｇｇａｓ（ｉ−１）＋１：ｉは整数）し、Ｓ１０２へ戻る。
【００６４】
ステップＳ１０６の処理を実行し終えた場合には、ＥＣＵ２０は本ルーチンの実行を終了する。
【００６５】
このようにして、フィルタ再生処理におけるフィルタ８の過昇温が抑制される吸気流量の範囲が持ち去り熱量とＰＭの酸化速度の観点から特定される。そのため、吸気流量の範囲にＰＭ堆積量は影響していない。よって、ＰＭ堆積量が多少に拘らずどのような量であっても、上記範囲の吸気流量であればフィルタ８の過昇温は抑制することができる。したがって、ＰＭ堆積量の多少に拘らず、フィルタ１５の過昇温をより確実に抑制することができる。
【００６６】
なお、上述した実施例は、フィルタ再生処理におけるフィルタの過昇温が抑制される吸気流量の範囲を設定したが、Ｇｇａｓ≦Ｇ≦Ｇｍａｘの範囲をさらに他の観点から限定してもよい。
【００６７】
（実施態様１）
本実施態様では、設定流量を、Ｇｇａｓ≦Ｇ≦Ｇｍａｘの範囲において、さらに、フィルタ８でのＰＭ堆積量が多いほど、Ｇｍａｘに近づけるようにする。
【００６８】
このようにすると、ＰＭ堆積量が多いほど、フィルタ再生処理中のＰＭに対する酸化速度が早まり、ＰＭの酸化除去（フィルタ再生処理）を早期に終了させることができる。これにより、フィルタ再生処理中に生じるフィルタ８の昇温時間を削減することができる。そして、フィルタ８の昇温時間を削減できるので、フィルタ８が高温に曝される時間を減少させ、フィルタ８の熱劣化を抑制することができる。
【００６９】
（実施態様２）
本実施態様では、設定流量を、Ｇｇａｓ≦Ｇ≦Ｇｍａｘの範囲において、さらに、ＰＭに対する酸化速度を最大としフィルタ再生処理を早期に終了させるべく、Ｇｍａｘに設定する（Ｇ＝Ｇｍａｘ）。
【００７０】
このようにすると、ＰＭに対する酸化速度をＧｇａｓ≦Ｇ≦Ｇｍａｘの範囲において最大とし、フィルタ再生処理を早期に終了させることができる。これにより、フィルタ再生処理中に生じるフィルタ８の昇温時間を削減することができる。そして、フィルタ８の昇温時間を削減できるので、フィルタ８が高温に曝される時間を減少させ、フィルタ８の熱劣化を抑制することができる。
【００７１】
（実施態様３）
本実施態様では、設定流量を、Ｇｇａｓ≦Ｇ≦Ｇｍａｘの範囲において、さらに、燃費悪化を抑制させるべく、Ｇｇａｓに設定する（Ｇ＝Ｇｇａｓ）。
【００７２】
このようにすると、吸気流量をＧｇａｓ≦Ｇ≦Ｇｍａｘの範囲において最小とし、供給すべき燃料量を削減することができる。これにより、フィルタ再生処理中の燃費悪化を抑制することができる。
【００７３】
（実施態様４）
本実施態様では、設定流量を、Ｇｇａｓ≦Ｇ≦Ｇｍａｘの範囲において、さらに、図３に示すごとく時間的変動が少なくなるように、設定流量Ｇの値がＧｇａｓ以下あるいは、Ｇｍａｘ以上とならない限りにおいて、平均化する（なます）（Ｇ（ｉ）＝Ｇ（ｉ−１）＋（Ｇｍａｘ−Ｇ（ｉ−１））×α：０＜α≦１）。
【００７４】
このようにすると、フィルタ８への燃料供給から到達までの時間差による、吸気流量制御でのフィルタ８の状態変化の応答遅れを考慮して、時間的流量変化を少なくすることができ、加速等の過渡運転時におけるフィルタ８の温度等の状態を安定させることができる。
【００７５】
（実施態様５）
本実施態様では、設定流量を、Ｇｇａｓ≦Ｇ≦Ｇｍａｘの範囲において、さらに、図４に示すごとく時間的変動が少なくなるように、設定流量Ｇの値がＧｇａｓ以下あるいは、Ｇｍａｘ以上とならない限りにおいて、前回値保持する（Ｇ(ｉ)＝Ｇ（ｉ−１））。
【００７６】
このようにすると、フィルタ８への燃料供給から到達までの時間差による、吸気流量制御でのフィルタ８の状態変化の応答遅れを考慮して、時間的流量変化を少なくすることができ、加速等の過渡運転時におけるフィルタ８の温度等の状態を安定させることができる。
【００７７】
（実施態様６）
本実施態様では、設定流量を、Ｇｇａｓ≦Ｇ≦Ｇｍａｘの範囲において、さらに、フィルタ再生処理中のＮＯｘの制約から吸気流量の上限流量を制限する（Ｇｇａｓ≦Ｇ≦Ｇｍ
ａｘ’（ＮＯｘ））。なお、Ｇｍａｘ’（ＮＯｘ）は、フィルタ再生処理中のＮＯｘの制約からの吸気流量の上限流量であり、Ｇｇａｓ≦Ｇｍａｘ’（ＮＯｘ）≦Ｇｍａｘを満たす。
【００７８】
このようにすると、フィルタ８から排出されるＮＯｘの最大の量が規制でき、フィルタ８から排出されるＮＯｘの量を管理することができる。
【００７９】
以上の実施態様のように、Ｇｇａｓ≦Ｇ≦Ｇｍａｘの範囲をさらに他の観点から限定してより良好な吸気流量を設定することができる。なお、各実施態様は組み合わせて実施することもできる。
【図面の簡単な説明】
【００８０】
【図１】実施例１に係る排気浄化システムを適用する内燃機関とその吸排気系の概略構成を示す図である。
【図２】実施例１に係るフィルタ再生処理における吸気流量を設定する制御ルーチンを示すフローチャートである。
【図３】実施態様４に係る平均化した設定流量を示すグラフである。
【図４】実施態様５に係る前回値保持した設定流量を示すグラフである。
【符号の説明】
【００８１】
１     内燃機関
２     吸気通路
５     吸気絞り弁
７     排気通路
８     フィルタ
９     上流側排気温度センサ
１０   下流側排気温度センサ
【図１】
0004618069.tif 000002
【図２】
0004618069.tif 000003
【図３】
0004618069.tif 000004
【図４】
0004618069.tif 000005